(57)【要約】【課題】本発明は、石綿除去工事における飛散抑制剤の浸透管理方法に関し、低コストで安全性を高めて作業者の健康を維持すると共に、石綿撤去作業の能率を高めることが課題である。【解決手段】吹付け材に導電性の検知ピン１を適宜間隔を置いて前記吹付け材２の外部から内部へ厚さ方向に差し込み、前記検知ピン１，１間の電気抵抗を測定することで、前記吹付け材２に塗布された粉塵飛散抑制剤の浸透深さを検知する石綿除去工事における飛散抑制剤の浸透管理方法である。【選択図】図１
2007277851.tif 000002
【特許請求の範囲】
【請求項１】
吹付け材に導電性の検知ピンを適宜間隔を置いて前記吹付け材の外部から内部へ厚さ方向に差し込み、前記検知ピン間の電気抵抗を測定することで、前記吹付け材に塗布された粉塵飛散抑制剤の浸透深さを検知すること、
を特徴とする石綿除去工事における飛散抑制剤の浸透管理方法。
【請求項２】
検知ピンは、吹付け材の厚さよりも長い棒状の導電性のピンと、該ピンの吹付け材中に差し込む先端部分及び外部に露出し電線が接続される後端部分とを除いて当該ピンを被覆する非導電性のカバーとで構成されていること、
を特徴とする請求項１に記載の石綿除去工事における飛散抑制剤の浸透管理方法。
【請求項３】
検知ピンにおけるピンの先端部には、吹付け材によって被覆されている下地材が導電性である場合に、絶縁材が被覆されること、
を特徴とする請求項１又は２に記載の石綿除去工事における飛散抑制剤の浸透管理方法。
【請求項４】
天井側の吹付け材に検知ピンが差し込まれる場合には、床から立設されて前記検知ピンを支持する支持棒が設けられ、該支持棒の下部には、前記検知ピンに電気的に接続される端子が突設されていること、
を特徴とする請求項１乃至３のいずれかに記載の石綿除去工事における飛散抑制剤の浸透管理方法。
【発明の詳細な説明】
【技術分野】
【０００１】
本発明は、建築物などに使用されている石綿を除去する際に、粉塵を発生させないようにする石綿除去工事における飛散抑制剤の浸透管理方法に関するものである。
【背景技術】
【０００２】
石綿は、吸入性の繊維状物質に発ガン性があり、人の健康に悪影響を及ぼすので、石綿を含有する吹付け材の撤去が行われている。その石綿撤去の際に、石綿粉塵が空気中に浮遊してこれを作業者が吸い込むと有害となるので、薬剤等によって、前記吹付け材を湿潤化した上で除去作業を行うことになっている。
【０００３】
そこで、前記粉塵飛散防止のための薬剤を吹付け材に塗布するには、予めメーカー等が吹付け材の厚み毎に、単位面積当たりの使用量を塗布量として示している。作業者は、図５に示すように、コンクリート等の下地材６に吹き付けられた吹付け材２に、前記決められた量の薬液を噴霧器１１等で塗布して、その後、直ちに吹付け材２の撤去を行っている。この他、石綿撤去に関しては、大型の機械に剥離装置と強力なバキュームポンプとを備えて、石綿撤去を行うものも知られている（特許文献１参照）。また、石綿を用いた折版屋根に薬液を塗布して、これを石綿を除去しないで前記折版屋根を撤去し、それを切断してドラム缶に詰めて、そのドラム缶ごと溶融する方法も知られている（特許文献２参照）。
【特許文献１】特開２０００−２２６９４２号公報
【特許文献２】特開２００６−４３６２０号公報
【発明の開示】
【発明が解決しようとする課題】
【０００４】
しかし、従来の石綿除去工事では、吹付け材に塗布した薬剤が、どの程度浸透したかが全く把握できないまま、撤去工事を行っている。薬剤の浸透具合は、吹付け材の材料構成・均一性によって大きく左右され、メーカーなどが指定する塗布量で吹付け材の内部全体に浸透しているかどうかは不明瞭である。よって、石綿の粉塵の発生を抑えられない危険性がある。
【０００５】
また、前記大型機械による撤去方法では、石綿があらゆる場所において使用されていて、その中には狭い場所もあり、室内ではほとんど適用できないという課題がある。更に、石綿を用いた折版屋根を切断する方法では、石綿を含有する吹付け材だけを撤去する方法ではないので、この石綿撤去方法の適用範囲が狭く、手間も掛かかりコストが嵩むという課題がある。本発明に係る石綿除去工事における飛散抑制剤の浸透管理方法は、このような課題を解決するために提案されたものである。
【課題を解決するための手段】
【０００６】
本発明に係る石綿除去工事における飛散抑制剤の浸透管理方法の上記課題を解決して目的を達成するための要旨は、吹付け材に導電性の検知ピンを適宜間隔を置いて前記吹付け材の外部から内部へ厚さ方向に差し込み、前記検知ピン間の電気抵抗を測定することで、前記吹付け材に塗布された粉塵飛散抑制剤の浸透深さを検知することである。
【０００７】
前記検知ピンは、吹付け材の厚さよりも長い棒状の導電性のピンと、該ピンの吹付け材中に差し込む先端部分及び外部に露出し電線が接続される後端部分とを除いて当該ピンを被覆する非導電性のカバーとで構成されていること、；
前記検知ピンにおけるピンの先端部には、吹付け材によって被覆されている下地材が導電性である場合に、絶縁材が被覆されること、；
天井側の吹付け材に検知ピンが差し込まれる場合には、床から立設されて前記検知ピンを支持する支持棒が設けられ、該支持棒の下部には、前記検知ピンに電気的に接続される端子が突設されていること、；
を含むものである。
【発明の効果】
【０００８】
本発明の石綿除去工事における飛散抑制剤の浸透管理方法によれば、石綿を含んだ吹付け材に、粉塵飛散抑制剤がどの程度浸透したかを確認した後に、前記吹付け材を撤去するようにできるので、確実に石綿の飛散を抑制できる。これにより、作業者の健康が害されることなく、撤去作業の安全性を確保できるものである。
構成の簡易な検知ピンにより浸透具合を検知できるので、必要な検知手段の製作コストも安価であり、検知性能も良い。前記粉塵飛散抑制剤を吹付け材に塗布して、それが十分に浸透したことを確認した後に撤去工事を開始すれば良く、その間は、他の工事を並行して進めることができるので、石綿除去工事が能率的に遂行される。また、前記支持棒があることで、下部に設けた端子により高所の測定作業が回避され、電気抵抗の測定が容易となるものである。
【発明を実施するための最良の形態】
【０００９】
本発明に係る石綿除去工事における飛散抑制剤の浸透管理方法は、図１に示すように、前記処理剤の浸透具合を知るための検知手段である検知ピン１を用意する。この検知ピン１は、電気抵抗を測定するものであって、その具体的構成は、図２に示すように、吹付け材２の厚さよりも長い棒状の導電性（鉄製、銅製等）のピン３と、該ピン３の吹付け材２中に差し込む先端部分及び外部に露出し電線４が接続される後端部分とを除いて当該ピン３を被覆する非導電性のカバー５とで構成されている。
【００１０】
前記検知ピン１におけるピン３の先端部には、吹付け材２によって被覆されている下地材６が導電性である場合に、絶縁材７がキャップとして被覆される。前記下地材６を通して、ピン３，３間に通電しないようにするためである。
【００１１】
前記検知ピン１，１間の電気抵抗を測定するのは、電気抵抗計（市販品、例えば、テスター）８である。この電気抵抗計８の電線４の先にクリップ等が付いていて、前記ピン３の後端部をくわえさせて、電気的に接続するものである。
【００１２】
前記検知ピン１を使用して、粉塵飛散抑制剤の浸透深さを検知するには、以下のように行う。まず、コンクリート等の下地材６に被覆された吹付け材２に、導電性の前記検知ピン１を適宜間隔を置いて前記吹付け材２の外部から内部へ厚さ方向に差し込む。
【００１３】
石綿を含む前記吹付け材２の硬さに関しては、金属製のピンであれば人の手で容易に差し込める程度の硬さであるので、撤去対象の範囲内に、図３に示すように、複数本の検知ピン１を差し込む。このとき、検知ピン１のピン３の先端が、図１に示すように、下地材６に到達するように差し込む。
【００１４】
また、カバー５によって、ピン３の先端は、その先端面から２〜５ｍｍ程度が露出するように、被覆させる。また、前記検知ピン１，１の間隔は、例えば、５〜１０ｃｍ程度である。なお、必要ならば、ピン３の先端部にキャップの絶縁材７を被せてから差し込む。
【００１５】
前記検知ピン１を天井の吹付け材２に差す場合には、図３（Ａ）に示すように、支持棒９を床１０から立ち上げて、その上部の押さえ板９ａで落下しないように支持する。その支持棒９には、例えば、図３（Ｂ）に示すように、電気配線が施されており、前記検知ピン１のピン３後端部に接触する金属板があり、その金属板から電線９ｄが配線されて、支持棒９の下部に、例えば、床面から１ｍ〜１．５ｍ程度の高さの位置で、突設されている電気接続用の端子９ｂに接続されているものである。
【００１６】
こうすれば、図３（Ａ）に示すように、前記端子９ｂに電気抵抗計８の電線４を接続することで、検知ピン１，１間の電気抵抗を容易に測定することができる。なお、同図３（Ｂ）に示すように、前記端子９ｂが、支持棒９の下部に設けた凹部９ｆにおいてその中で電気抵抗計８のクリップで接続できるように突出していて、不使用の際にはその凹部９ｆをカバーする蓋９ｅがある構造でも良い。
【００１７】
電気抵抗測定の用意が整った後に、前記吹付け材２に粉塵飛散抑制剤を噴霧器１１等で、単位面積当たりに必要な指定量を吹き付ける。すると、前記抑制剤が毛細管現象により吹付け材２中に浸透して、浸透域１２が広がり、やがて下地材６に至る。図１に示す状態では、浸透域１２が、未だピン３，３の先端部に到達してないので導通が無く、電気抵抗計８では、指針が振り切れて測定不能となっている。また、図４に示す状態でも、片方の検知ピン１においては浸透域１２がピン３の先端部に到達していないので、導通せず電気抵抗は測定できない。
【００１８】
前記浸透域１２が更に広がって浸透し、図１に示すように、検知ピン１，１の両方のピン３の先端に浸透域１２ａが達すると、導通することになり、電気抵抗計８において、所要の抵抗（例えば、１０５〜１０７Ω）を示すようになる。これにより、前記粉塵飛散抑制剤が十分に浸透したことが判るので、その後、前記検知ピン１と支持棒９と電気抵抗計を外して、作業者が吹付け材２の剥離作業を開始して、剥離した吹付け材２を撤去する。
【００１９】
このように、粉塵飛散抑制剤が吹付け材２に十分浸透したことを確認して撤去作業を行うので、作業者は安心して撤去作業を行うことができる。また、前記電気抵抗計８で所要の抵抗が測定されるまで、吹付けを続けて行えるので、作業能率が向上する。
【図面の簡単な説明】
【００２０】
【図１】本発明に係る石綿除去工事における飛散抑制剤の浸透管理方法の概念を示す説明図である。
【図２】同本発明の石綿除去工事における飛散抑制剤の浸透管理方法に使用する検知ピン１の正面図である。
【図３】同本発明の石綿除去工事における飛散抑制剤の浸透管理方法の実施状態を示す説明図（Ａ）と、支持棒９の一部を拡大して示す断面図（Ｂ）とである。
【図４】同本発明の石綿除去工事における飛散抑制剤の浸透状態を示す説明図である。
【図５】従来例に係る石綿除去工事における飛散抑制剤の浸透状態を示す説明図である。
【符号の説明】
【００２１】
１          検知ピン、
２          吹付け材、
３          ピン、
４          電線、
５          カバー、
６          下地材、
７          絶縁材、
８          電気抵抗計、
９          支持棒、                    ９ａ      押さえ板、  
９ｂ，９ｃ  端子、                      ９ｄ      電線、                      
９ｅ        蓋、                        ９ｆ      凹部、
１０        床、
１１        噴霧器、
１２        浸透域。
【図１】
2007277851.tif 000003
【図２】
2007277851.tif 000004
【図３】
2007277851.tif 000005
【図４】
2007277851.tif 000006
【図５】
2007277851.tif 000007